(57)【要約】【課題】暖房運転時に室温が所定の設定値以上になった際、熱交換器による熱交換を停止して室内空気を吹出口から吸込口にショートサーキットさせた室内空気温度を室温サーミスタで正確に検知できるようにした空気調和機を提供する。【解決手段】暖房運転時に室温が所定の設定値以上になった際、圧縮機の運転を停止し、送風ファン１０の駆動を継続し、上下風向板１２を上向きに回動して、吹出口２から吹き出す吹出空気の一部を吸込口１にショートサーキットさせるように制御した。【選択図】  図２
2004170022.tif 000002
【特許請求の範囲】
【請求項１】
圧縮機と、四方弁と、室外熱交換器と、膨張弁と、室内熱交換器とを順次配管接続した冷凍サイクルを形成すると共に、室内機本体の前面上部および、または上面に吸込口を設け、前面下部に吹出口を設け、前記吸込口と前記吹出口とを結ぶ空気通路に、エアフィルタと前記室内熱交換器と送風ファンとを設け、前記吹出口に、左右風向板群と上下風向板とを回動自在に設け、前記室内熱交換器の前方に、前記前面上部の吸込口の下端部を臨ませた室温サーミスタを設けてなり、
暖房運転時に室温が所定の設定値以上になった際、前記圧縮機の運転を停止し、前記送風ファンの駆動を継続し、前記上下風向板を上向きに回動して、前記吹出口から吹き出す吹出空気の一部を前記吸込口にショートサーキットさせるように制御してなることを特徴とする空気調和機の制御装置。
【請求項２】
前記吹出口から吹き出す吹出空気の一部を前記吸込口にショートサーキットさせる際、前記送風ファンを減速回転させるように制御してなることを特徴とする請求項１に記載の空気調和機の制御装置。
【請求項３】
前記室温サーミスタが、前記吸込口の一側下端部または他側下端部を臨ませるように設けられる一方、前記吹出口から吹き出す吹出空気の一部を前記吸込口にショートサーキットさせる際、前記左右風向板群を、被空調室に吹き出す吹出空気の一部が前記吸込口の前記室温サーミスタを臨ませた部位に偏向するように回動させてなることを特徴とする請求項１に記載の空気調和機の制御装置。
【請求項４】
前記上下風向板は、上方に回動した際、その前縁部の上面接線が水平線に対し仰角をなすように構成されてなることを特徴とする請求項１に記載の空気調和機の制御装置。
【請求項５】
前記上下風向板は、上方に回動した際、その後縁部の下面接線が水平線に対し仰角をなすように構成されてなることを特徴とする請求項１に記載の空気調和機の制御装置。
【請求項６】
前記室内熱交換器が、前部に設けた切欠部を介して側面視でく字状に形成された上部熱交換器および下部熱交換器からなる前部熱交換器を備えてなり、前記室温サーミスタが、前記切欠部に設けられた遮風体に一体成形され、前記エアフィルタの裏面から少許離間する位置で前記室温サーミスタの底部を受ける受け板と、同受け板の一側に連続形成された先端に係止爪を備えた係止片と、前記受け板の他側に前記係止片と平行に形成された横方向からの触指を防ぐ保護片とからなる取付部に取り付けられてなることを特徴とする請求項１に記載の空気調和機の制御装置。
【発明の詳細な説明】
【０００１】
【発明の属する技術分野】
本発明は、空気調和機の制御装置に係わり、より詳細には、暖房運転時に室温が所定の設定値以上になった際、室内の空気温度を室温サーミスタで正確に検出できるようにした構造に関する。
【０００２】
【従来の技術】
従来の空気調和機には、冷風感のない快適除湿を可能にするものとして、室内熱交換器である補助室内熱交換器および主室内熱交換器のうち、補助室内熱交換器で冷媒の蒸発が終了するように圧縮機および電動膨張弁を制御し、除湿運転を行ない、この除湿運転時、室内ユニットの吹出口から吹出される空気がそのまま吸込口に流れるショートサーキットを形成し、このショートサーキットの形成により、居住域に風を到達させることなく除湿を行なうようにした発明が開示されていた（例えば、特許文献１参照。）。
【０００３】
これにより、上記構成でなる従来の空気調和機は、除湿運転時に、上記のようなショートサーキットを形成して、冷風感のない除湿運転を実現することによって快適な居住域を提供できるという効果を奏していた。
【０００４】
しかしながら、暖房運転時に室温が所定の設定値以上になった際、圧縮機を停止して室内空気の一部を吹出口から吸込口にショートサーキットさせると共に、室内の空気温度を室温サーミスタで正確に検出できるように制御する構成にはなっていないことから、居住域に冷風を到達させないようにするのと同時に、室内の空気温度を正確に検出することができるようにした空気調和機の制御装置の出現が望まれていた。
【０００５】
【特許文献１】
特開平９−７２５９７号公報（第１頁および第２頁、第１図）
【０００６】
【発明が解決しようとする課題】
本発明においては、上記の問題点に鑑み、暖房運転時に室温が所定の設定値以上になった際、熱交換器による熱交換を停止して室内空気を吹出口から吸込口にショートサーキットさせた室内の空気温度を室温サーミスタで正確に検出できるようにした空気調和機の制御装置を提供することを目的とする。
【０００７】
【課題を解決するための手段】
本発明は、上記課題を解決するため、圧縮機と、四方弁と、室外熱交換器と、膨張弁と、室内熱交換器とを順次配管接続した冷凍サイクルを形成すると共に、室内機本体の前面上部および、または上面に吸込口を設け、前面下部に吹出口を設け、前記吸込口と前記吹出口とを結ぶ空気通路に、エアフィルタと前記室内熱交換器と送風ファンとを設け、前記吹出口に、左右風向板群と上下風向板とを回動自在に設け、前記室内熱交換器の前方に、前記前面上部の吸込口の下端部を臨ませた室温サーミスタを設けてなり、
暖房運転時に室温が所定の設定値以上になった際、前記圧縮機の運転を停止し、前記送風ファンの駆動を継続し、前記上下風向板を上向きに回動して、前記吹出口から吹き出す吹出空気の一部を前記吸込口にショートサーキットさせるように制御してなる構成となっている。
【０００８】
また、前記吹出口から吹き出す吹出空気の一部を前記吸込口にショートサーキットさせる際、前記送風ファンを減速回転させるように制御してなる構成となっている。
【０００９】
また、前記室温サーミスタが、前記吸込口の一側下端部または他側下端部を臨ませるように設けられる一方、前記吹出口から吹き出す吹出空気の一部を前記吸込口にショートサーキットさせる際、前記左右風向板群を、被空調室に吹き出す吹出空気の一部が前記吸込口の前記室温サーミスタを臨ませた部位に偏向するように回動させてなる構成となっている。
【００１０】
また、前記上下風向板は、上方に回動した際、その前縁部の上面接線が水平線に対し仰角をなすように構成されている。
【００１１】
また、前記上下風向板は、上方に回動した際、その後縁部の下面接線が水平線に対し仰角をなすように構成されている。
【００１２】
更に、前記室内熱交換器が、前部に設けた切欠部を介して側面視でく字状に形成された上部熱交換器および下部熱交換器からなる前部熱交換器を備えてなり、前記室温サーミスタが、前記切欠部に設けられた遮風体に一体成形され、前記エアフィルタの裏面から少許離間する位置で前記室温サーミスタの底部を受ける受け板と、同受け板の一側に連続形成された先端に係止爪を備えた係止片と、前記受け板の他側に前記係止片と平行に形成された横方向からの触指を防ぐ保護片とからなる取付部に取り付けられてなる構成となっている。
【００１３】
【発明の実施の形態】
以下、本発明の実施の形態を図面に基づいた実施例として詳細に説明する。
図１は本発明による空気調和機の制御装置の断面図であり、図２は本発明による空気調和機の制御装置の要部説明図で、（Ａ）はショートサーキットの状態を示す断面図、（Ｂ）は（Ａ）で示すＡ部の斜視図であり、図３は本発明による空気調和機の制御装置の説明図で、（Ａ）は外観斜視図、（Ｂ）は吸込グリルを開放した状態を示す斜視図であり、図４は本発明による空気調和機の制御装置の説明図で、（Ａ）は前面パネルを取り外した状態を示す斜視図、（Ｂ）は室温サーミスタを室内熱交換器の一側部に設ける一方、左右風向板群を回動して吹出空気の一部を吹出口の一側部寄りに偏向させた状態を示す図であり、図５は本発明による空気調和機の制御装置の冷凍サイクル図であり、図６は本発明による空気調和機の制御装置のブロック図であり、図７は本発明による空気調和機の制御装置のフローチャートである。
【００１４】
本発明による空気調和機の制御装置は、図５で示すように、圧縮機Ａと、四方弁Ｂと、室外熱交換器Ｃと、膨張弁Ｄと、室内熱交換器９とを順次配管接続した冷凍サイクルを備えた空気調和機に設けられるようになっている。
【００１５】
前記室内熱交換器９は、図１で示すように、前部に設けた切欠部４を介して側面視でく字状に形成された上部熱交換器５および下部熱交換器６からなる前部熱交換器７を備え、且つ前記上部熱交換器５の後部に後端を下方に傾斜させるように配置した後部熱交換器８を備えて逆Ｖ字状に形成されている。
【００１６】
また、図１で示すように、室内機本体の前面上部および上面には吸込口１が設けられ、前面下部には吹出口２が設けられ、前記室内熱交換器９を備えた前記吸込口１と前記吹出口２とを結ぶ空気通路には、エアフィルタ３と送風ファン１０とが設けられている。
【００１７】
前記吹出口２には、左右風向板群１１と上下風向板１２とを回動自在に設けられており、支軸部１１ａ  により回動自在に軸支された前記左右風向板群１１によって左右方向の風向を偏向できるようにし、支軸部１２ａ  により回動自在に軸支された前記上下風向板１２によって上下方向の風向を偏向できるようにしている。
【００１８】
そして、前記室内熱交換器９の前部には、前記前面上部の吸込口１の下端部を臨ませた室温サーミスタ１３が設けられており、同室温サーミスタ１３に、前記吸込口１から吸い込まれた空気流を当てることによって被空調室内の空気温度を検出できるようになっている。
【００１９】
前記室温サーミスタ１３は、図２（Ａ）および図２（Ｂ）で示すように、断熱性を有する取付部１５に取り付けられた状態で前記前部熱交換器７の前部に設けられることにより、同前部熱交換器７の温度の影響を受けることなく前記吸込口１から吸い込まれた空気温度を検出できる。
【００２０】
なお、前記切欠部４は、前記前部熱交換器７を折曲しやすくするために形成されている。
また、前記吸込口１から吸い込まれた空気の一部が、充分に熱交換されないままで前記切欠部４を通過してしまわないように遮風するため、同切欠部４の長手方向にわたって遮風体１４を装着した構成になっており、同遮風体１４に、前記取付部１５が一体成形された構成になっている。
【００２１】
なお、上記構成でなる室内機本体の外観部は、図３（Ａ）および図３（Ｂ）で示すように、前部を開放したベースａに、前記吸込口１と前記吹出口２とを上下部に備えた前面パネルｂが着脱可能に装着された構成になっている。
【００２２】
前記前面パネルｂに設けられた吸込口１には、枢支部ｄにより回動自在に、且つ着脱可能に軸支された前面吸込グリルｃと、ガイド部ｆにより前後方向にスライド可能に、且つ着脱可能に支持され、前記エアフィルタ３に接合された上面吸込グリルｅとが設けられており、前記エアフィルタ３のメンテナンス時には、前記前面吸込グリルｃを回動したのち、前記エアフィルタ３の把手部に手指を掛けて引出すようにすればよい。
【００２３】
前記下位熱交換器５の前部に、前記吸込口１を臨ませた室温サーミスタ１３が設けられる一方、暖房運転時に室温が所定の設定値以上になった際、前記圧縮機１の運転を停止して前記送風ファン１０の駆動を継続すると共に、図１および図２（Ａ）で示すように前記上下風向板１２を上方に回動して、前記吹出口２から吹き出す吹出空気の一部を前記吸込口１にショートサーキットさせるようにした構成となっている。
【００２４】
上記構成でなる室内機には、図６で示すように、前記室温サーミスタ１３からなる室内温度検出部Ｅと、室内温度が所定の温度になるように設定する室内温度設定部Ｆと、前記圧縮機Ａを駆動する圧縮機駆動部Ｈと、前記送風ファン１０を駆動するファン駆動部Ｉと、前記上下風向板１２を駆動する風向板駆動部Ｊと、前記室内温度検出部Ｅおよび前記室内温度設定部Ｆからの信号に基づいて前記各駆動部Ｈ，Ｉ，Ｊを制御する制御部Ｇとを備えている。
【００２５】
以上の構成により、暖房運転時に前記圧縮機１の運転を停止し、前記送風ファン１０の駆動を継続し、前記上下風向板１２を上方に回動するように制御して、上記説明のようにショートサーキットさせるようにした動作について説明する。
【００２６】
図６は冷房または暖房運転時の冷媒流路を示す冷凍サイクル図、図７は暖房運転時の動作を示すフローチャートであり、これら図６および図７を参照して説明をする。なお、本発明における課題が暖房運転時のものであるから、とくに暖房運転に限定して説明をする。
【００２７】
図６で示すように暖房運転が認識される（ＳＴ１）と、冷媒は図５の破線の矢印で示す流路のように循環し、前記室内熱交換器９で熱交換された暖気が前記吹出口２から被空調室に吹き出されて室内温度が次第に上昇する。
【００２８】
次に、被空調室に在室している使用者は、前記室内温度設定部Ｆにより希望する室内温度を設定する（ＳＴ２）。
【００２９】
（ＳＴ３）で前記室温サーミスタ１３からなる室内温度検出部Ｅによって検出された室温が、前記室内温度設定部Ｆによって設定した設定値以上であるか否かを判定し、ＮＯの場合には暖房運転を継続し（ＳＴ１）、ＹＥＳの場合には前記圧縮機Ａの運転を停止する（ＳＴ４）。
【００３０】
次に、（ＳＴ５）で前記送風ファン１０の駆動を継続し、（ＳＴ６）で前記上下風向板１２を上方に回動する。
【００３１】
これにより、前記吹出口２から吹き出す吹出空気の一部を、前記吸込口１にショートサーキットさせることができるようになり、徐々に低温化してゆく室温を前記下位熱交換器５の前部に設けられた前記室温サーミスタ１３によって正確に検出できるようになる。
【００３２】
そして、検出された室温が、前記室内温度設定部Ｆによって設定した設定値以上であるか否かを再度判定し、ＮＯの場合には暖房運転を継続し（ＳＴ１）、ＹＥＳの場合には前記圧縮機Ａの運転を停止する（ＳＴ４）。
【００３３】
なお、前記圧縮機Ａの運転を停止した（ＳＴ４）のち、（ＳＴ５）で前記送風ファン１０を減速回転させることにより、前記吹出口２から吹き出す吹出空気の一部の速度が遅くなって前記吸込口１に効率よく吸い込まれるようになる。
【００３４】
これにより、前記吹出口２から吹き出された空気の一部が被空調室に在室している使用者に当って不快感を感じさせるということがなくなって、居住域の快適性を損ねてしまうということがなくなる。
【００３５】
また、前記室温サーミスタ１３が、前記吸込口１の一側部または他側部を臨ませるように、図４（Ａ）で示すように前記下部熱交換器６の前部に設けられる一方、前記左右風向板群１１を、図４（Ｂ）で示すように、被空調室に吹き出す吹出空気の一部が前記室温サーミスタ１３を臨ませた前記吹出口２の一側部または他側部寄りに偏向するように回動させることにより、ショートサーキットさせた吹出空気の一部を前記室温サーミスタ１３に集中して当てることができるようになって室温の検出を正確に行なえることになる。
【００３６】
その際、前記左右風向板群１１は、被空調室に吹き出す吹出空気の一部が前記吹出口２の一側部または他側部寄りに偏向するように回動させるのに、同左右風向板群１１の連結部１１ｂ  を連結桿１１ｃ  により連結して連動させるようにしている。
【００３７】
また、より効果的にショートサーキットを行なえるようにするため、図２（Ａ）で示すように、前記上下風向板１２は、上方に回動した際、その前縁部１２ｂ  の上面接線が水平線に対し仰角αをなすように形成され、また、その後縁部１２ｃ  の下面接線が水平線に対し仰角βをなすように形成されている。
【００３８】
なお、前記下部熱交換器６に設けられる室温サーミスタ１３は、図２（Ａ）および図２（Ｂ）で示すように、前記切欠部４に設けられた遮風体１４に一体成形され、前記エアフィルタ３  の裏面から少許離間する位置で前記室温サーミスタ１３の底部を受ける受け板１５ａ  と、同受け板１５ａ  の一側に連続形成された先端に係止爪１５ｂ  を備えた係止片１５ｃ  と、前記受け板１５ａ  の他側に前記係止片１５ｃ  と平行に形成された横方向からの触指を防ぐ保護片１５ｄ  とからなる取付部１５に取り付けられている。
【００３９】
これによって、前記取付部１５を個別に製作することなく、前記遮風体１４に一体成形して前記下部熱交換器６の前部に容易に、且つコスト的に有利な構成で正確に設けることができる。
【００４０】
【発明の効果】
以上説明したように、本発明によれば、暖房運転時に室温が所定の設定値以上になった際、熱交換器による熱交換を停止して室内空気の一部を吹出口から吸込口にショートサーキットさせた室内の空気温度を室温サーミスタで正確に検出できるようにした空気調和機の制御装置となる。
【図面の簡単な説明】
【図１】本発明による空気調和機の制御装置の断面図である。
【図２】本発明による空気調和機の制御装置の要部説明図で、（Ａ）はショートサーキットの状態を示す断面図であり、（Ｂ）は（Ａ）で示すＡ部の斜視図である。
【図３】本発明による空気調和機の制御装置の説明図で、（Ａ）は外観斜視図であり、（Ｂ）は吸込グリルを開放した状態を示す斜視図である。
【図４】本発明による空気調和機の制御装置の説明図で、（Ａ）は前面パネルを取り外した状態を示す斜視図であり、（Ｂ）は室温サーミスタを室内熱交換器の一側部に設ける一方、左右風向板群を回動して吹出空気の一部を吹出口の一側部寄りに偏向させた状態を示す図である。
【図５】本発明による空気調和機の制御装置の冷凍サイクル図である。
【図６】本発明による空気調和機の制御装置のブロック図である。
【図７】本発明による空気調和機の制御装置のフローチャートである。
【符号の説明】
１  吸込口
２  吹出口
３  エアフィルタ
４  切欠部
５  上位熱交換器
６  下位熱交換器
７  前部熱交換器
８  後部熱交換器
９  熱交換器
１０  送風ファン
１１  左右風向板群
１１ａ  支軸部
１１ｂ  連結部
１１ｃ  連結桿
１２  上下風向板
１２ａ  支軸部
１２ｂ  前縁部
１２ｃ  後縁部
１３  室温サーミスタ
１４  遮風体
１５  取付部
１５ａ  受け部
１５ｂ  係止爪
１５ｃ  係止片
１５ｄ  保護片
Ａ  圧縮機
Ｂ  四方弁
Ｃ  室外熱交換器
Ｄ  膨張弁
Ｅ  室内温度検出部（室温サーミスタ）
Ｆ  室内温度設定部
Ｇ  制御部
Ｈ  圧縮機駆動部
Ｉ  ファン駆動部
Ｊ  風向板駆動部
ａ  ベース
ｂ  前面パネル
ｃ  前面吸込グリル
ｄ  枢支部
ｅ  上面吸込グリル
ｆ  ガイド部
α  仰角
β  仰角
【図１】
2004170022.tif 000003
【図２】
2004170022.tif 000004
【図３】
2004170022.tif 000005
【図４】
2004170022.tif 000006
【図５】
2004170022.tif 000007
【図６】
2004170022.tif 000008
【図７】
2004170022.tif 000009